(57)【要約】【課題】イオン発生装置が運転している際に、人が入室すると、イオン発生装置から発生する可能性のあるオゾンによる影響が考えられる浴室乾燥装置において、オゾンの影響を軽減することができる浴室乾燥装置を提供することを目的としている。【解決手段】浴室乾燥装置１は浴室内の空気を循環させる循環手段としての循環ファン２と、前記循環手段によって吸い込まれた浴室内空気に熱を供給する熱供給手段としてのＰＴＣヒータ３と、浴室内の空気を浴室外へ換気する換気手段としての換気ファン４と、浴室内にイオンを供給する電気式のイオン発生手段としての放電型イオン発生装置５とを備え、放電型イオン発生装置５と換気ファン４を連動させることにより、オゾンの影響を軽減することができる浴室乾燥装置を得られる。【選択図】図１
2008039275.tif 000002
【特許請求の範囲】
【請求項１】
浴室内の空気を循環させる循環手段と、前記循環手段によって吸い込まれた浴室内空気に熱を供給する熱供給手段と、浴室内の空気を浴室外へ換気する換気手段と、浴室内にイオンを供給する電気式のイオン発生手段とを備えた浴室乾燥装置であって、前記イオン発生手段の運転時に前記換気手段を運転することを特徴とする浴室乾燥装置。
【請求項２】
前記換気手段による換気が微少換気であることを特徴とする請求項１記載の浴室乾燥装置。
【請求項３】
前記イオン発生手段の運転停止後に、前記換気手段の運転を停止させることを特徴とする請求項１または２記載の浴室乾燥装置。
【請求項４】
前記イオン発生手段の運転停止後から、前記換気手段の運転停止までの前記換気手段の遅延運転時間を、前記イオン発生手段の運転時間によって変化させることを特徴とする請求項３記載の浴室乾燥装置。
【請求項５】
人検出手段を備え、前記人検出手段により人が検出されない場合には、前記遅延運転時間を最小とする請求項４記載の浴室乾燥装置。
【請求項６】
浴室乾燥装置を運転操作する操作手段を備え、前記操作手段から、前記イオン発生手段の運転時に前記換気手段を運転する、もしくは運転しないを選択設定することが可能であることを特徴とする請求項１〜５いずれかに記載の浴室乾燥装置。
【請求項７】
人検出手段を備え、前記人検出手段により人が検出されない場合には、前記イオン発生手段の運転時に前記換気手段を運転しないことを特徴とする請求項１〜６いずれかに記載の浴室乾燥装置。
【請求項８】
浴室内の空気を循環させる循環手段と、前記循環手段によって吸い込まれた浴室内空気に熱を与える熱供給手段と、浴室内の空気を浴室外へ換気する換気手段と、イオン発生手段と、人検出手段とを備えた浴室乾燥装置であって、前記イオン発生手段の運転停止後、一定時間内に前記人検出手段により、人が検出された場合、前記換気手段を運転することを特徴とする浴室乾燥装置。
【請求項９】
前記イオン発生手段の運転時に換気手段を運転している場合、前記イオン発生手段の運転停止後、前記人検出手段の検出結果によらず、前記換気手段を運転しないことを特徴とする請求項８記載の浴室乾燥装置。
【請求項１０】
前記イオン発生手段の運転時に換気手段を運転していない場合、前記人検出手段により人が検出されると、前記換気手段により微少換気することを特徴とする請求項８または９記載の浴室乾燥装置。
【請求項１１】
換気手段を浴室乾燥装置内に備えず、前記浴室乾燥装置とは別に浴室内空気を換気する換気手段と連動していることを特徴とする請求項１〜１０いずれかに記載の浴室乾燥装置。
【発明の詳細な説明】
【技術分野】
【０００１】
本発明は、放電によるイオン発生装置を備え、浴室内の乾燥および除菌を行う浴室乾燥装置に関する。
【背景技術】
【０００２】
従来、この種の浴室乾燥装置は、下記に記載されたものが知られている（例えば特許文献１）。
【０００３】
以下、その浴室乾燥装置について図８を参照しながら説明する。浴室乾燥装置１０１は、浴室内の空気を循環するための循環ファン１０２と、浴室内循環空気を暖める熱交換部１０３と、浴室内空気を換気するための換気ファン１０４と、浴室内にイオンを供給するイオン発生器１０５を備えた構成とし、浴室内を乾燥および除菌するものである。
【特許文献１】特開２００４−０８５０７８号公報
【発明の開示】
【発明が解決しようとする課題】
【０００４】
このような従来の浴室乾燥装置では、イオン発生装置が運転している際に、人が入室すると、イオン発生装置から発生する可能性のあるオゾンによる影響、例えばオゾン臭を感じる等、という問題があり、このオゾンの影響を軽減することが要求されている。
【０００５】
本発明は、このような従来の課題を解決するものであり、イオン発生装置の運転と換気装置の運転を連動させることができ、オゾンの影響を軽減することができる浴室乾燥装置を提供することを目的としている。
【課題を解決するための手段】
【０００６】
本発明の浴室乾燥装置は上記目的を達成するために、浴室内の空気を循環させる循環手段と、前記循環手段によって吸い込まれた浴室内空気に熱を供給する熱供給手段と、浴室内の空気を浴室外へ換気する換気手段と、浴室内にイオンを供給する電気式のイオン発生手段とを備えた浴室乾燥装置であって、前記イオン発生手段の運転時に前記換気手段を運転するものである。
【０００７】
この手段により、イオン発生手段から発生するオゾンを換気手段により浴室外へ換気でき、浴室内のオゾンの影響を軽減できる浴室乾燥装置が得られる。
【０００８】
また、本発明の浴室乾燥装置は上記目的を達成するために、前記換気手段による換気が微少換気であるものである。
【０００９】
この手段により、イオン発生手段から発生するオゾンを換気手段により浴室外へ換気でき、浴室内に人が居る際、前記人が換気による風をほとんど感じることなく、浴室内のオゾンの影響を軽減できる浴室乾燥装置が得られる。
【００１０】
また、本発明の浴室乾燥装置は上記目的を達成するために、前記イオン発生手段の運転停止後に、前記換気手段の運転を停止させるものである。
【００１１】
この手段により、イオン発生手段から発生するオゾンを換気手段により浴室外へ換気でき、浴室内のオゾンの影響を軽減できる浴室乾燥装置が得られる。
【００１２】
また、本発明の浴室乾燥装置は上記目的を達成するために、前記イオン発生手段の運転停止後から、前記換気手段の運転停止までの前記換気手段の遅延運転時間を、前記イオン発生手段の運転時間によって変化させるものである。
【００１３】
この手段により、イオン発生手段の運転時間が短く、オゾンの発生が少ない時には、換気手段の遅延運転時間を短くでき、効率的に浴室内のオゾンの影響を軽減できる浴室乾燥装置が得られる。
【００１４】
また、本発明の浴室乾燥装置は上記目的を達成するために、人検出手段を備え、前記人検出手段により人が検出されない場合には、前記遅延運転時間を最小とするものである。
【００１５】
この手段により、浴室内に人が居ない場合に換気手段の遅延運転時間を最小にすることができ、効率的に浴室内のオゾンの影響を軽減できる浴室乾燥装置が得られる。
【００１６】
また、本発明の浴室乾燥装置は上記目的を達成するために、浴室乾燥装置を運転操作する操作手段を備え、前記操作手段から、前記イオン発生手段の運転時に前記換気手段を運転する、もしくは運転しないを選択設定することが可能であるものである。
【００１７】
この手段により、浴室乾燥装置の使用者がオゾンの影響を気にしない場合に、イオン発生装置と換気手段を連動させないことができ、前記使用者の必要なときのみ浴室内のオゾンの影響を軽減できる浴室乾燥装置が得られる。
【００１８】
また、本発明の浴室乾燥装置は上記目的を達成するために、人検出手段を備え、前記人検出手段により人が検出されない場合には、前記イオン発生手段の運転時に前記換気手段を運転しないものである。
【００１９】
この手段により、浴室に人が居ない場合には、前記イオン発生手段の運転時に前記換気手段を運転しないことができ、浴室に人が居る場合に浴室内のオゾンの影響を軽減できる浴室乾燥装置が得られる。
【００２０】
また、本発明の浴室乾燥装置は上記目的を達成するために、浴室内の空気を循環させる循環手段と、前記循環手段によって吸い込まれた浴室内空気に熱を与える熱供給手段と、浴室内の空気を浴室外へ換気する換気手段と、イオン発生手段と、人検出手段とを備えた浴室乾燥装置であって、前記イオン発生手段の運転停止後、一定時間内に前記人検出手段により、人が検出された場合、前記換気手段を運転するものである。
【００２１】
この手段により、イオン発生手段の運転停止後のオゾン濃度の高い時間に、浴室に人が入室したと場合に、前記換気手段を運転することができ、効率的に浴室内のオゾンの影響を軽減できる浴室乾燥装置が得られる。
【００２２】
また、本発明の浴室乾燥装置は上記目的を達成するために、前記イオン発生手段の運転時に換気手段を運転している場合、前記イオン発生手段の運転停止後、前記人検出手段の検出結果によらず、前記換気手段を運転しないものである。
【００２３】
この手段により、イオン発生手段の運転時に換気手段を運転していることにより浴室内のオゾン濃度が低いと考えられる場合に、前記イオン発生手段の運転停止後、前記人検出手段の検出結果によらず、前記換気手段を運転しないことができ、効率的に浴室内のオゾンの影響を軽減できる浴室乾燥装置が得られる。
【００２４】
また、本発明の浴室乾燥装置は上記目的を達成するために、前記イオン発生手段の運転時に換気手段を運転していない場合、前記人検出手段により人が検出されると、前記換気手段により微少換気するものである。
【００２５】
この手段により、イオン発生手段の運転時に換気手段を運転していない場合に、浴室内に人が居る際、前記人が換気による風をほとんど感じることなく、浴室内のオゾンの影響を軽減でき、効率的に浴室内のオゾンの影響を軽減できる浴室乾燥装置が得られる。
【００２６】
また、本発明の浴室乾燥装置は上記目的を達成するために、換気手段を浴室乾燥装置内に備えず、前記浴室乾燥装置とは別に浴室内空気を換気する換気手段と連動しているものである。
【００２７】
この手段により、浴室乾燥装置以外に換気手段のある浴室において、浴室乾燥装置と前記換気手段とが連動することができ、浴室内のオゾンの影響を軽減できる浴室乾燥装置が得られる。
【発明の効果】
【００２８】
本発明によれば、浴室内の空気を循環させる循環手段と、前記循環手段によって吸い込まれた浴室内空気に熱を供給する熱供給手段と、浴室内の空気を浴室外へ換気する換気手段と、浴室内にイオンを供給する電気式のイオン発生手段とを備えた浴室乾燥装置であって、前記イオン発生手段の運転時に前記換気手段を運転するものであり、イオン発生手段から発生するオゾンを換気手段により浴室外へ換気でき、浴室内のオゾンの影響を軽減できるという効果のある浴室乾燥装置を提供できる。
【００２９】
また、本発明によれば、前記換気手段による換気が微少換気であり、イオン発生手段から発生するオゾンを換気手段により浴室外へ換気でき、浴室内に人が居る際、前記人が換気による風をほとんど感じることなく、浴室内のオゾンの影響を軽減できるという効果のある浴室乾燥装置を提供できる。
【００３０】
また、本発明によれば、前記イオン発生手段の運転停止後に、前記換気手段の運転を停止させることにより、イオン発生手段から発生するオゾンを換気手段により浴室外へ換気でき、浴室内のオゾンの影響を軽減できるという効果のある浴室乾燥装置を提供できる。
【００３１】
また、本発明によれば、前記イオン発生手段の運転停止後から、前記換気手段の運転停止までの前記換気手段の遅延運転時間を、前記イオン発生手段の運転時間によって変化させることにより、イオン発生手段の運転時間が短く、オゾンの発生が少ない時には、換気手段の遅延運転時間を短くでき、効率的に浴室内のオゾンの影響を軽減できるという効果のある浴室乾燥装置を提供できる。
【００３２】
また、本発明によれば、人検出手段を備え、前記人検出手段により人が検出されない場合には、前記遅延運転時間を最小とすることにより、浴室内に人が居ない場合に、換気手段の遅延運転時間を最小にすることができ、効率的に浴室内のオゾンの影響を軽減できるという効果のある浴室乾燥装置を提供できる。
【００３３】
また、本発明によれば、浴室乾燥装置を運転操作する操作手段を備え、前記操作手段から、前記イオン発生手段の運転時に前記換気手段を運転する、もしくは運転しないを選択設定することが可能であり、浴室乾燥装置の使用者がオゾンの影響を気にしない場合に、イオン発生装置と換気手段を連動させないことができ、前記使用者の必要なときのみ浴室内のオゾンの影響を軽減できるという効果のある浴室乾燥装置を提供できる。
【００３４】
また、本発明によれば、人検出手段を備え、前記人検出手段により人が検出されない場合には、前記イオン発生手段の運転時に前記換気手段を運転しないことにより、浴室に人が居ない場合には、前記イオン発生手段の運転時に前記換気手段を運転しないことができ、浴室に人が居る場合に浴室内のオゾンの影響を軽減できるという効果のある浴室乾燥装置を提供できる。
【００３５】
また、本発明によれば、浴室内の空気を循環させる循環手段と、前記循環手段によって吸い込まれた浴室内空気に熱を与える熱供給手段と、浴室内の空気を浴室外へ換気する換気手段と、イオン発生手段と、人検出手段とを備えた浴室乾燥装置であって、前記イオン発生手段の運転停止後、一定時間内に前記人検出手段により、人が検出された場合、前記換気手段を運転することにより、イオン発生手段の運転停止後のオゾン濃度の高い時間に、浴室に人が入室したと場合に、前記換気手段を運転することができ、効率的に浴室内のオゾンの影響を軽減できるという効果のある浴室乾燥装置を提供できる。
【００３６】
また、本発明によれば、前記イオン発生手段の運転時に換気手段を運転している場合、前記イオン発生手段の運転停止後、前記人検出手段の検出結果によらず、前記換気手段を運転しないことにより、イオン発生手段の運転時に換気手段を運転していることにより浴室内のオゾン濃度が低いと考えられる場合に、前記イオン発生手段の運転停止後、前記人検出手段の検出結果によらず、前記換気手段を運転しないことができ、効率的に浴室内のオゾンの影響を軽減できるという効果のある浴室乾燥装置を提供できる。
【００３７】
また、本発明によれば、前記イオン発生手段の運転時に換気手段を運転していない場合、前記人検出手段により人が検出されると、前記換気手段により微少換気することにより、イオン発生手段の運転時に換気手段を運転していない場合に、浴室内に人が居る際、前記人が換気による風をほとんど感じることなく、効率的に浴室内のオゾンの影響を軽減できるという効果のある浴室乾燥装置を提供できる。
【００３８】
また、本発明によれば、換気手段を浴室乾燥装置内に備えず、前記浴室乾燥装置とは別に浴室内空気を換気する換気手段と連動しているものであり、浴室乾燥装置以外に換気手段のある浴室において、浴室乾燥装置と前記換気手段とが連動することができ、浴室内のオゾンの影響を軽減できるという効果のある浴室乾燥装置を提供できる。
【発明を実施するための最良の形態】
【００３９】
本発明の請求項１記載の発明は、浴室内の空気を循環させる循環手段と、前記循環手段によって吸い込まれた浴室内空気に熱を供給する熱供給手段と、浴室内の空気を浴室外へ換気する換気手段と、浴室内にイオンを供給する電気式のイオン発生手段とを備えた浴室乾燥装置であって、前記イオン発生手段の運転時に前記換気手段を運転するものであり、イオン発生手段から発生するオゾンを換気手段により浴室外へ換気でき、浴室内のオゾンの影響を軽減できるという作用を有する。
【００４０】
また、前記イオン発生手段の運転停止後に、前記換気手段の運転を停止させることにより、イオン発生手段から発生するオゾンを換気手段により浴室外へ換気でき、浴室内のオゾンの影響を軽減できるという作用を有する。
【００４１】
また、前記イオン発生手段の運転停止後から、前記換気手段の運転停止までの前記換気手段の遅延運転時間を、前記イオン発生手段の運転時間によって変化させることにより、イオン発生手段の運転時間が短く、オゾンの発生が少ない時には、換気手段の遅延運転時間を短くでき、効率的に浴室内のオゾンの影響を軽減できるという作用を有する。
【００４２】
また、人検出手段を備え、前記人検出手段により人が検出されない場合には、前記遅延運転時間を最小とすることにより、浴室内に人が居ない場合に、換気手段の遅延運転時間を最小にすることができ、効率的に浴室内のオゾンの影響を軽減できるという作用を有する。
【００４３】
また、浴室乾燥装置を運転操作する操作手段を備え、前記操作手段から、前記イオン発生手段の運転時に前記換気手段を運転する、もしくは運転しないを選択設定することが可能であり、浴室乾燥装置の使用者がオゾンの影響を気にしない場合に、イオン発生装置と換気手段を連動させないことができ、前記使用者の必要なときのみ浴室内のオゾンの影響を軽減できるという作用を有する。
【００４４】
また、人検出手段を備え、前記人検出手段により人が検出されない場合には、前記イオン発生手段の運転時に前記換気手段を運転しないことにより、浴室に人が居ない場合には、前記イオン発生手段の運転時に前記換気手段を運転しないことができ、浴室に人が居る場合に浴室内のオゾンの影響を軽減できるという作用を有する。
【００４５】
また、浴室内の空気を循環させる循環手段と、前記循環手段によって吸い込まれた浴室内空気に熱を与える熱供給手段と、浴室内の空気を浴室外へ換気する換気手段と、イオン発生手段と、人検出手段とを備えた浴室乾燥装置であって、前記イオン発生手段の運転停止後、一定時間内に前記人検出手段により、人が検出された場合、前記換気手段を運転することにより、イオン発生手段の運転停止後のオゾン濃度の高い時間に、浴室に人が入室したと場合に、前記換気手段を運転することができ、効率的に浴室内のオゾンの影響を軽減できるという作用を有する。
【００４６】
また、前記イオン発生手段の運転時に換気手段を運転している場合、前記イオン発生手段の運転停止後、前記人検出手段の検出結果によらず、前記換気手段を運転しないことにより、イオン発生手段の運転時に換気手段を運転していることにより浴室内のオゾン濃度が低いと考えられる場合に、前記イオン発生手段の運転停止後、前記人検出手段の検出結果によらず、前記換気手段を運転しないことができ、効率的に浴室内のオゾンの影響を軽減できるという作用を有する。
【００４７】
また、前記イオン発生手段の運転時に換気手段を運転していない場合、前記人検出手段により人が検出されると、前記換気手段により微少換気することにより、イオン発生手段の運転時に換気手段を運転していない場合に、浴室内に人が居る際、前記人が換気による風をほとんど感じることなく、浴室内のオゾンの影響を軽減できるという作用を有する。
【００４８】
また、換気手段を浴室乾燥装置内に備えず、前記浴室乾燥装置とは別に浴室内空気を換気する換気手段と連動しているものであり、浴室乾燥装置以外に換気手段のある浴室において、浴室乾燥装置と前記換気手段とが連動することができ、浴室内のオゾンの影響を軽減できるという作用を有する。
【００４９】
以下、本発明の実施の形態について図面を参照しながら説明する。
【００５０】
（実施の形態１）
図１に示すように、浴室乾燥装置１は浴室内の空気を循環させる循環手段としての循環ファン２と、前記循環手段によって吸い込まれた浴室内空気に熱を供給する熱供給手段としてのＰＴＣヒータ３と、浴室内の空気を浴室外へ換気する換気手段としての換気ファン４と、浴室内にイオンを供給する電気式のイオン発生手段としての放電型イオン発生装置５とを備える。
【００５１】
次に放電型イオン発生装置５の運転状態（運転／停止）と、換気ファン４の運転状態（運転／停止）の流れを、図２を参照にしながら説明する。図に示すように放電型イオン発生装置５が運転していて、換気ファン４が停止している場合、換気ファン４を０．５ｍ3／ｈ以下の微少換気運転をさせる。さらに、放電型イオン発生装置５と換気ファン４が運転しているときに、放電型イオン発生装置５が停止する場合に、換気ファン４を停止させる。
【００５２】
上記構成において、放電型イオン発生装置５の運転時に換気ファン４も運転し、さらに放電型イオン発生装置５の停止に遅れて、換気ファン４が停止し、放電型イオン発生装置５から発生する可能性のあるオゾンを換気ファン４により浴室外へ換気でき、浴室内のオゾンの影響を軽減することとなる。さらに、放電型イオン発生装置が運転中で、換気ファン４が運転しないモードの運転例えば暖房運転の際でも、暖房運転に与える影響を小さくしながら、浴室内のオゾンの影響を軽減することとなる。
【００５３】
なお、実施の形態１では換気手段として、換気ファン４を用いたが、図３に示すように、換気ファン４に換えて循環ファン２により吸い込んだ浴室内空気を換気する風路Ａと浴室内へ循環する風路Ｂとを分けるダンパーとしての風向板６と、風路Ａと風路Ｂに流れる風量を変化させるために風向板６を稼動する稼動手段としてのステッピングモータ７との組み合わせであってもよく、その作用効果に差異を生じない。
【００５４】
なお、熱供給手段としてＰＴＣヒータを用いたが、ＰＴＣヒータに換えてハロゲンヒータやシーズヒータ等他のヒータでもよく、その作用効果に差異を生じない。
【００５５】
また、熱供給手段としてＰＴＣヒータを用いたが、温水との熱交換方式によるものであってもよく、その作用効果に差異を生じない。
【００５６】
（実施の形態２）
本実施の形態は実施の形態１の浴室乾燥装置１と同じ構成である。
【００５７】
次に放電型イオン発生装置５の運転状態（運転／停止）と、換気ファン４の運転状態（運転／停止）の流れを、図４を参照にしながら説明する。図に示すように放電型イオン発生装置５が運転開始すると、タイマーをカウントし始め、次に換気ファン４が停止している場合、換気ファン４を運転させ、その後放電型イオン発生装置５が停止すると、そのときのタイマーが１分未満であれば、遅延運転時間Ａ分後例えば０．５分後に換気ファン４を停止し、タイマーのカウントをリセットする。また、前記タイマーが１分以上であれば、遅延運転時間Ｂ分後例えば５分後に換気ファン４を停止し、タイマーのカウントをリセットする。
【００５８】
上記構成において、放電型イオン発生装置５の運転時に換気ファン４も運転し、さらに放電型イオン発生装置５の停止に放電型イオン発生装置５の運転時間に応じた遅延時間の後、換気ファン４が停止し、放電型イオン発生装置５から発生する可能性のあるオゾンを換気ファン４により浴室外へ換気でき、効率的に浴室内のオゾンの影響を軽減することとなる。さらに、放電型イオン発生装置５が運転中で、換気ファン４が運転しないモードの運転例えば暖房運転の際でも、暖房運転に与える影響を小さくしながら、浴室内のオゾンの影響を軽減することとなる。
【００５９】
なお、実施の形態２では換気手段として、換気ファン４を用いたが、図３に示すように、換気ファン４に換えて循環ファン２により吸い込んだ浴室内空気を換気する風路Ａと浴室内へ循環する風路Ｂとを分ける風向板６と、風路Ａと風路Ｂに流れる風量を変化させるために風向板６を稼動する稼動手段としてのステッピングモータ７との組み合わせであってもよく、その作用効果に差異を生じない。
【００６０】
なお、熱供給手段としてＰＴＣヒータを用いたが、ＰＴＣヒータに換えてハロゲンヒータやシーズヒータ等他のヒータでもよく、その作用効果に差異を生じない。
【００６１】
また、熱供給手段としてＰＴＣヒータを用いたが、温水との熱交換方式によるものであってもよく、その作用効果に差異を生じない。
【００６２】
なお、換気ファン４を停止した後にタイマーのカウントをリセットしているが、タイマーのカウントをリセットして後、換気ファン４を停止してもよく、その作用効果に差異を生じない。
【００６３】
（実施の形態３）
本実施の形態は実施の形態１の浴室乾燥装置１の構成に人検出手段としての人感センサ８を加えたものである。
【００６４】
次に放電型イオン発生装置５の運転状態（運転／停止）と、換気ファン４の運転状態（運転／停止）の流れを、図５を参照にしながら説明する。図に示すように放電型イオン発生装置５が運転開始すると、タイマーをカウントし始め、次に換気ファン４が停止している場合、換気ファン４を運転させ、その後放電型イオン発生装置５が停止したとき、人感センサ８が人を検知していないと、遅延運転時間Ａ分後例えば０．５分後に換気ファン４を停止し、タイマーのカウントをリセットする。また、人感センサ８が人を検知したときはそのときのタイマーが１分未満であれば、遅延運転時間Ａ分後例えば０．５分後に換気ファン４を停止し、タイマーのカウントをリセットし、タイマーが１分以上であれば、遅延運転時間Ｂ分後例えば５分後に換気ファン４を停止し、タイマーのカウントをリセットする。
【００６５】
上記構成において、放電型イオン発生装置５の停止後、人感センサ８による人の検出の有無で遅延運転時間を変化することができ、効率的に浴室内のオゾンの影響を軽減することとなる。
【００６６】
なお、実施の形態３では換気ファン４を停止した後にタイマーのカウントをリセットしているが、タイマーのカウントをリセットした後、換気ファン４を停止してもよく、その作用効果に差異を生じない。
【００６７】
（実施の形態４）
本実施の形態は実施の形態１の浴室乾燥装置１の構成に浴室乾燥装置を運転操作する操作手段としてのリモコン９を加えたものである。
【００６８】
次に放電型イオン発生装置５の運転状態（運転／停止）と、換気ファン４の運転状態（運転／停止）の流れを説明する。リモコン９から、放電型イオン発生装置５の運転時に換気ファン４を連動する設定にする場合、図３のフローチャートと同じように動作する。また、放電型イオン発生装置５の運転時に換気ファン４を連動しない設定にする場合、図３のフローチャートを開始しない。
【００６９】
上記構成において、浴室乾燥装置の使用者の好みに合わせて、放電型イオン発生装置５の運転時に換気ファン４を連動する、もしくはしない、を決めることができ、効率的に浴室内のオゾンの影響を軽減することとなる。
【００７０】
（実施の形態５）
本実施の形態は実施の形態１の浴室乾燥装置１の構成に人検出手段としての人感センサ８を加えたものである。
【００７１】
次に放電型イオン発生装置５の運転状態（運転／停止）と、換気ファン４の運転状態（運転／停止）の流れを、図６を参照にしながら説明する。まず、放電型イオン発生装置５が運転停止するとタイマーのカウントアップを開始し、その後人感センサ８が人を検知しタイマーのカウントが一定時間以内、例えば５分以内であれば、５分間換気ファンを運転した後、タイマーのカウントをリセットする。
【００７２】
上記構成において、放電型イオン発生装置５の運転停止後、一定時間以内に人感センサ８により、人が検出された場合、５分間換気ファン４を運転することができ、効率的に浴室内のオゾンの影響を軽減することとなる。
【００７３】
なお、実施の形態５では一定時間を５分としたが、１０分以内であればよく、その作用効果に差異を生じない。
【００７４】
（実施の形態６）
本実施の形態は実施の形態１の浴室乾燥装置１の構成に人検出手段としての人感センサ８を加えたものである。
【００７５】
次に放電型イオン発生装置５の運転状態（運転／停止）と、換気ファン４の運転状態（運転／停止）の流れを、図７を参照にしながら説明する。放電型イオン発生装置５が運転中に換気ファン４が運転していると、放電型イオン発生装置５が停止した後、換気ファンを停止する。また、放電型イオン発生装置５が運転中に換気ファン４が停止していると、人感センサ８が人を検出すると、換気ファン４を微少運転し、放電型イオン発生装置５が停止した後、換気ファン４が運転していれば、換気ファン４を停止する。
【００７６】
上記構成において、放電型イオン発生装置５と換気ファン４が運転している場合、人感センサ８による人検出により微少換気運転をし、放電型イオン発生装置５が停止した後、換気ファン４の運転を停止することができ、効率的に浴室内のオゾンの影響を軽減することとなる。
【産業上の利用可能性】
【００７７】
放電型のイオン発生装置を備えた浴室乾燥機において、イオン発生装置の運転時に換気手段の運転を制御することにより、オゾンの影響を軽減することができる浴室乾燥装置に用いることができる。
【図面の簡単な説明】
【００７８】
【図１】本発明の実施の形態１の浴室乾燥装置の構成図
【図２】同放電型イオン発生装置と換気ファンの運転状態のフローチャート
【図３】同浴室乾燥装置の構成図
【図４】本発明実施の形態２の放電型イオン発生装置と換気ファンの運転状態のフローチャート
【図５】本発明実施の形態３の放電型イオン発生装置と換気ファンの運転状態のフローチャート
【図６】本発明実施の形態５の放電型イオン発生装置と換気ファンの運転状態のフローチャート
【図７】本発明実施の形態６の放電型イオン発生装置と換気ファンの運転状態のフローチャート
【図８】従来の浴室乾燥装置の構成図
【符号の説明】
【００７９】
１        浴室乾燥装置
２        循環ファン
３        ＰＴＣヒータ
４        換気ファン
５        放電型イオン発生装置
６        風向板
７        ステッピングモータ
８        人感センサ
９        リモコン
１０１    浴室乾燥装置
１０２    循環ファン
１０３    熱交換部
１０４    換気ファン
１０５    イオン発生装置
【図１】
2008039275.tif 000003
【図２】
2008039275.tif 000004
【図３】
2008039275.tif 000005
【図４】
2008039275.tif 000006
【図５】
2008039275.tif 000007
【図６】
2008039275.tif 000008
【図７】
2008039275.tif 000009
【図８】
2008039275.tif 000010